(57)【要約】【課題】SIPを利用した通信サービス網におけるアドレス変換装置において、着信に備えてアドレス対応情報を保持することなく、メッセージのアドレス変換処理を可能とする技術を提供する。【解決手段】アクセス網とコア網との境界部分に設置されて使用されるアドレス変換装置において、ユーザ端末から、Contactヘッダの情報として前記ユーザ端末のアドレスを含む登録メッセージを受信し、アドレス変換装置におけるコア網側のアドレスである外部アドレスを前記ユーザ端末に対して決定し、当該外部アドレスを、所定のヘッダの情報として前記登録メッセージに付加し、前記外部アドレスが付加された前記登録メッセージを、送信元アドレスとして前記外部アドレスが指定されたパケットに含めて前記SIPサーバに送信するように構成する。【選択図】図４
2011151474.tif 000002
【特許請求の範囲】
【請求項１】
ユーザ端末を接続したアクセス網と、SIPサーバを接続したコア網とを有する通信サービス網において、前記アクセス網と前記コア網との境界部分に設置されて使用されるアドレス変換装置であって、
前記ユーザ端末から、Contactヘッダの情報として前記ユーザ端末のアドレスを含む登録メッセージを受信する受信手段と、
前記アドレス変換装置におけるコア網側のアドレスである外部アドレスを前記ユーザ端末に対して決定し、当該外部アドレスを、所定のヘッダの情報として前記登録メッセージに付加する外部アドレス付加手段と、
前記外部アドレスが前記所定のヘッダの情報として付加された前記登録メッセージを、送信元アドレスとして前記外部アドレスが指定されたパケットに含めて前記SIPサーバに送信する送信手段と
を備えることを特徴とするアドレス変換装置。
【請求項２】
前記SIPサーバから、前記登録メッセージに対する応答メッセージを受信し、当該応答メッセージに含まれるContactヘッダに記述された前記ユーザ端末のアドレスを取得し、前記応答メッセージを、宛先アドレスとして前記ユーザ端末のアドレスを指定したパケットに含めて送信することを特徴とする請求項１に記載のアドレス変換装置。
【請求項３】
前記SIPサーバから、前記ユーザ端末のアドレスを送信先とする接続要求メッセージを受信し、当該接続要求メッセージを、宛先アドレスとして前記ユーザ端末のアドレスが指定されたパケットに含めて前記ユーザ端末に送信することを特徴とする請求項１又は２に記載のアドレス変換装置。
【請求項４】
前記所定のヘッダは、Pathヘッダであることを特徴とする請求項１ないし３のうちいずれか１項に記載のアドレス変換装置。
【請求項５】
ユーザ端末を接続したアクセス網と、SIPサーバを接続したコア網とを有する通信サービス網において、前記アクセス網と前記コア網との境界部分に設置されて使用されるアドレス変換装置と前記SIPサーバとを備える通信システムであって、
前記アドレス変換装置が、前記ユーザ端末から、Contactヘッダの情報として前記ユーザ端末のアドレスを含む登録メッセージを受信し、前記アドレス変換装置におけるコア網側のアドレスである外部アドレスを前記ユーザ端末に対して決定し、当該外部アドレスを、所定のヘッダの情報として前記登録メッセージに付加し、  
前記アドレス変換装置が、前記外部アドレスが前記所定のヘッダの情報として付加された前記登録メッセージを、送信元アドレスとして前記外部アドレスが指定されたパケットに含めて前記SIPサーバに送信し、
前記SIPサーバが、前記登録メッセージを受信し、当該登録メッセージのContactヘッダの情報としての前記ユーザ端末のアドレスと、前記所定のヘッダの情報としての前記外部アドレスとを対応付けて記憶手段に格納し、
前記SIPサーバが、前記ユーザ端末を接続要求対象とする接続要求メッセージを受信した場合に、前記SIPサーバは、前記記憶手段から、前記ユーザ端末のアドレスに対応する前記外部アドレスを取得し、当該ユーザ端末のアドレスを送信先として含む接続要求メッセージを、宛先アドレスとして前記外部アドレスが指定されたパケットに含めて前記アドレス変換装置に送信する
ことを特徴とする通信システム。
【請求項６】
ユーザ端末を接続したアクセス網と、SIPサーバを接続したコア網とを有する通信サービス網において、前記アクセス網と前記コア網との境界部分に設置されて使用されるアドレス変換装置と前記SIPサーバとを備える通信システムが実行するメッセージ通信方法であって、
前記アドレス変換装置が、前記ユーザ端末から、Contactヘッダの情報として前記ユーザ端末のアドレスを含む登録メッセージを受信し、前記アドレス変換装置におけるコア網側のアドレスである外部アドレスを前記ユーザ端末に対して決定し、当該外部アドレスを、所定のヘッダの情報として前記登録メッセージに付加し、  
前記アドレス変換装置が、前記外部アドレスが前記所定のヘッダの情報として付加された前記登録メッセージを、送信元アドレスとして前記外部アドレスが指定されたパケットに含めて前記SIPサーバに送信し、
前記SIPサーバが、前記登録メッセージを受信し、当該登録メッセージのContactヘッダの情報としての前記ユーザ端末のアドレスと、前記所定のヘッダの情報としての前記外部アドレスとを対応付けて記憶手段に格納し、
前記SIPサーバが、前記ユーザ端末を接続要求対象とする接続要求メッセージを受信した場合に、前記SIPサーバは、前記記憶手段から、前記ユーザ端末のアドレスに対応する前記外部アドレスを取得し、当該ユーザ端末のアドレスを送信先として含む接続要求メッセージを、宛先アドレスとして前記外部アドレスが指定されたパケットに含めて前記アドレス変換装置に送信する
ことを特徴とするメッセージ通信方法。
【請求項７】
コンピュータを、ユーザ端末を接続したアクセス網と、SIPサーバを接続したコア網とを有する通信サービス網において、前記アクセス網と前記コア網との境界部分に設置されて使用されるアドレス変換装置として機能させるためのプログラムであって、コンピュータを、
前記ユーザ端末から、Contactヘッダの情報として前記ユーザ端末のアドレスを含む登録メッセージを受信する受信手段、
前記アドレス変換装置におけるコア網側のアドレスである外部アドレスを前記ユーザ端末に対して決定し、当該外部アドレスを、所定のヘッダの情報として前記登録メッセージに付加する外部アドレス付加手段、
前記外部アドレスが前記所定のヘッダの情報として付加された前記登録メッセージを、送信元アドレスとして前記外部アドレスが指定されたパケットに含めて前記SIPサーバに送信する送信手段、
として機能させるためのプログラム。
【発明の詳細な説明】
【技術分野】
【０００１】
本発明は、SIP（Session Initiation Protocol）を利用した通信サービスを提供するために構成される複数の通信網の境界部分に配置され、複数の通信網間で送受信される信号のアドレス変換処理等を行うアドレス変換装置に関するものである。
【背景技術】
【０００２】
IP電話サービス網等のSIPを利用した通信サービス網において、複数のキャリアによりサービスが運営される場合等に、各キャリアに対応する通信網間の境界にセッションボーダーコントローラー（SBC:Session Border Controller、以下、SBC装置と呼ぶ)を設置し、通信網間の方式差分を吸収することが行われている。
【０００３】
また、SBC装置は、アドレス情報の隠蔽やセキュリティの確保等を目的として、同一ISP又はキャリア内において、コア網とアクセス網との境界に設置して利用される場合もある。
【０００４】
なお、本願に関連する先行技術文献として、特許文献１がある。
【先行技術文献】
【特許文献】
【０００５】
【特許文献１】特開2007-318707号公報
【発明の概要】
【発明が解決しようとする課題】
【０００６】
SBC装置を、コア網とアクセス網とを接続するために利用する場合における通信システムの構成例を図１に示す。図１に示すように、当該通信システムは、コア網２とアクセス網３がSBC装置１により接続されて構成されている。コア網２とアクセス網３のそれぞれは、IP（Internet Protocol）によるデータ通信が可能な網である。また、図１の例におけるコア網２には、PSTN４（Public Switched Telephone Network）がPSTN-GW５を介して接続されている。
【０００７】
アクセス網３にはユーザ端末６が接続され、コア網２にはSIPサーバ７が接続されており、SIPに基づく制御通信により、各ユーザ端末は、コア網に接続された他のユーザ端末等とVoIP電話通信を実施することが可能である。なお、図１には、３つのユーザ端末（SIP通信可能な電話端末等）しか示されていないが、実際には各網に多数のユーザ端末が接続されている。また、コア網２には、複数のアクセス網が接続されている。SIPサーバ７は、SIPの機能全般を備えるサーバである。
【０００８】
SIPを利用した通信サービス網では、ユーザ端末６からSIPサーバ７に対して、ユーザ端末６の電話番号等の名前と、ユーザ端末６のアドレスとのバインディングをSIPサーバ７に要求するためのREGISTERメッセージ（登録メッセージとも呼ぶ）が定期的に送信される。
【０００９】
ここで、図１に示したようにアクセス網３とコア網２との間の境界部分にSBC装置１が設置される場合、アクセス網３とコア網２間で送受信される信号は必ずSBC装置１を経由する。従って、図１に示すようなSBC装置１を備えたシステムでは、SBC装置１は、各ユーザ端末６から定期的にREGISTERメッセージを受信し、アドレス変換処理を行って、コア網２にあるSIPサーバ７にREGISTERメッセージを転送する。また、アクセス網３におけるユーザ端末６に対する呼の発信があった場合に、SBC装置１は、着信に係るINVITEメッセージ（接続要求メッセージとも呼ぶ）をSIPサーバ７から受信し、アドレス変換を行って、ユーザ端末６に送信する処理を行う。
【００１０】
上記のようなアドレス変換処理を行うSBC装置１には、例えば、図２に示すように、ユーザ端末のアドレスと、当該ユーザ端末に対応するSBC装置１の外側（コア網２側）のアドレス（外部アドレスと呼ぶことにする）とを対応付けたアドレス対応情報がメモリ等の記憶手段に格納される。なお、SIPに基づく通信網において、メッセージの送信先は、IPアドレスとポート番号の組で識別されるものであり、上記の"アドレス"は、IPアドレスとポート番号の組を示す。本明細書では、特に断らない限り、"アドレス"は、IPアドレスとポート番号の組の意味で使用している。
【００１１】
図２に示すアドレス対応情報を格納するSBC装置１を用いた場合の処理のシーケンスの概要を図３を参照して説明する。図３の例において、ユーザ端末６のアドレスをアドレスA、SBC装置１におけるユーザ端末６に対応する外部アドレスをアドレスGとする。
【００１２】
ユーザ端末６は、Contactヘッダに自分のアドレスであるアドレスAを記述したREGISTERメッセージを送出する（ステップ１）。Contactヘッダに記述されたアドレスは、SIPサーバ７等において名前（REGISTERメッセージの中のToヘッダに記述）と対応付けて格納され、ユーザ端末６宛のリクエストメッセージの宛先（リクエストURI）のアドレスとして使用されるものである。
【００１３】
SBC装置１は、REGISTERメッセージを受信し、ContactヘッダにおけるアドレスAを、SBC装置１の外部アドレスであるアドレスGに変換するとともに、アドレスAとアドレスGとを対応付けてアドレス対応情報として記憶手段に格納する（ステップ２）。SBC装置１は、ContactヘッダにアドレスGが記述されたREGISTERメッセージをSIPサーバ７に転送し（ステップ３）、SIPサーバ７では、名前とアドレスGの対応を格納する等の通常のSIPに基づく処理を実行する（ステップ４）。
【００１４】
その後、応答メッセージがSIPサーバ７からSBC装置１に返され（ステップ５）、SBC装置１が、アドレス対応情報を検索して、Contactヘッダに記述されたアドレスGに対応するアドレスAを抽出し、Contactヘッダのアドレスを変換し（ステップ６）、ユーザ端末６に応答メッセージを送信する（ステップ７）。
【００１５】
続いて、外部のユーザ端末から、ユーザ端末６の名前を指定した呼接続要求（INVITEメッセージ）がSIPサーバ７に届いた場合、SIPサーバ７は、当該名前に対応するアドレスGを取得し、リクエストURI（R-URI）にアドレスGを設定したINVITEメッセージをSBC装置１に送信する（ステップ８）。INVITEメッセージを受信したSBC装置１は、アドレス対応情報を検索して、アドレスGに対応するアドレスAを抽出し、R-URIを変換し、ユーザ端末６にINVITEメッセージを送信する（ステップ９、１０）。
【００１６】
アクセス網３配下に存在する各ユーザ端末６に対する着信に備えて、SBC装置１は、常にアドレス対応情報を保持しておく必要があるが、アクセス網３配下に存在するユーザ端末６の数によっては、保持しておくべきデータ量が膨大なものになり、SBC装置１のハードウェアリソース（メモリ量等）を圧迫する恐れがあるという問題がある。また、SBC装置１の障害等により、アドレス対応情報が消滅してしまった場合には、ユーザ端末６から再度、REGISTERメッセージが送出されない限り、ユーザ端末６に対する外部からの着信ができなくなるという問題もある。
【００１７】
また、各ユーザ端末６に関して、着信があった場合には、SBC装置１は必ずアドレス対応情報の検索を行わなければならず、検索対象のデータ量によっては、検索処理のための負荷が大きなものになり、SBC装置１の処理能力を圧迫する恐れがあるという問題もある。
【００１８】
本発明は上記の点に鑑みてなされたものであり、SIPを利用した通信サービス網におけるSBC装置等のアドレス変換装置において、着信に備えてアドレス対応情報を保持することなく、SIPメッセージ通信におけるアドレス変換処理を可能とする技術を提供する。
【課題を解決するための手段】
【００１９】
上記の課題を解決するために、本発明は、ユーザ端末を接続したアクセス網と、SIPサーバを接続したコア網とを有する通信サービス網において、前記アクセス網と前記コア網との境界部分に設置されて使用されるアドレス変換装置であって、前記ユーザ端末から、Contactヘッダの情報として前記ユーザ端末のアドレスを含む登録メッセージを受信する受信手段と、前記アドレス変換装置におけるコア網側のアドレスである外部アドレスを前記ユーザ端末に対して決定し、当該外部アドレスを、所定のヘッダの情報として前記登録メッセージに付加する外部アドレス付加手段と、前記外部アドレスが前記所定のヘッダの情報として付加された前記登録メッセージを、送信元アドレスとして前記外部アドレスが指定されたパケットに含めて前記SIPサーバに送信する送信手段とを備えることを特徴とするアドレス変換装置として構成される。
【００２０】
前記アドレス変換装置は、前記SIPサーバから、前記登録メッセージに対する応答メッセージを受信し、当該応答メッセージに含まれるContactヘッダに記述された前記ユーザ端末のアドレスを取得し、前記応答メッセージを、宛先アドレスとして前記ユーザ端末のアドレスを指定したパケットに含めて送信するように構成してもよい。
【００２１】
また、前記アドレス変換装置は、前記SIPサーバから、前記ユーザ端末のアドレスを送信先とする接続要求メッセージを受信し、当該接続要求メッセージを、宛先アドレスとして前記ユーザ端末のアドレスが指定されたパケットに含めて前記ユーザ端末に送信するよう構成してもよい。また、前記所定のヘッダとして、Pathヘッダを使用してよい。
【発明の効果】
【００２２】
本発明によれば、アクセス網とコア網との境界部分に設置されて使用されるアドレス変換装置において、登録メッセージを受信したときに、Contactヘッダのアドレスを変換することなく、ユーザ端末に対して割り当てたコア網側のアドレスである外部アドレスを、所定のヘッダの情報として登録メッセージに付加し、当該外部アドレスが付加された登録メッセージをSIPサーバに送信することとしたので、SIPサーバ側では外部アドレスとユーザ端末のアドレスとを対応付けて管理できる。そのため、SIPサーバが接続要求メッセージを受信したときには、要求の宛先（R-URI)としてユーザ端末のアドレスを設定できるとともに、接続要求メッセージをアドレス変換装置に送信できる。よって、アドレス変換装置は、アドレス対応情報を検索することなく、R-URIに従って、接続要求メッセージをユーザ端末に送信することが可能となる。
【図面の簡単な説明】
【００２３】
【図１】SBC装置１を用いたシステムの構成例を示す図である。
【図２】従来のSBC装置１が格納するアドレス対応情報を示す図である。
【図３】従来のシステムにおける処理を説明するためのシーケンス図である。
【図４】本発明の実施の形態に係るシステムの構成図である。
【図５】本発明の実施の形態に係るSBC装置１０の機能構成図である。
【図６】本発明の実施の形態に係るシステムの動作を説明するためのシーケンス図である。
【発明を実施するための形態】
【００２４】
以下、図面を参照して本発明の実施の形態を説明する。本発明は、SIPを利用した通信サービスであればどのようなサービスにも適用可能であるが、以下の実施の形態では、一例として、本発明をIP電話サービスに適用した場合を想定している。
【００２５】
また、以下で説明するSBC装置１０の基本的な機能は種々のレイヤでのアドレス変換機能であるので、SBC装置１０をアドレス変換装置と呼ぶこともできる。SBC装置１０は、本発明に係るアドレス変換装置の一例であり、本発明に係るアドレス変換装置は、SBC装置に限定されるわけではない。例えば、NAT装置にも本発明を適用できる。
【００２６】
（システム構成）
図４に、本発明の実施の形態に係るシステムの構成図を示す。図４に示すシステムの全体構成は図１に示した構成と同じであるが、図４に示すシステムでは、コア網２とアクセス網３間の境界に設置されるものが、本発明の一実施形態としてのSBC装置１０である点で両者は異なる。また、本実施の形態におけるSIPサーバ７は、RFC3327に準拠したPathヘッダを処理する機能を含む。
【００２７】
なお、本実施の形態におけるアクセス網３は、SIPサーバ７を管理するキャリア又はISPのIP網、他キャリア又は他ISPのIP網、インターネット、企業内網のうちのいずれかの網でもよいし、これらのうちの複数の網を接続して構成された網でもよい。また、これらの網以外のIP網でもよい。
【００２８】
図５に、SBC装置１０の機能構成図を示す。図５に示すように、本実施の形態に係るSBC装置１０は、対アクセス網通信部１１、対コア網通信部１２、外部アドレス決定部１３、SIPメッセージ処理部１４、メディア通信部１５を備える。各機能部の処理の内容については、後述するシステムの動作説明のところで詳細に説明することとし、以下では各機能部の機能の概要を説明する。
【００２９】
対アクセス網通信部１１は、アクセス網３における装置（ユーザ端末等）との間で、SIPメッセージ通信やメディア通信等のデータ通信を行うための機能部である。対コア網通信部１２は、コア網２における装置（SIPサーバ、外部のユーザ端末等）との間で、SIPメッセージ通信やメディア通信等のデータ通信を行うための機能部である。
【００３０】
外部アドレス決定部１３は、REGISTERメッセージを送信したユーザ端末６に対応する外部アドレスとして、SBC装置１０のコア網２側のアドレスを決定し、割り当てる機能部である。SIPメッセージ処理部１４は、SIPメッセージに対してヘッダ情報を付加／削除する等のSIPメッセージに対する処理を行うための機能部である。SIPメッセージ処理部１４は、SBCの一般的な機能としてのSIPメッセージの変換機能やメディア通信に係る記述の変換機能等を含むものであるが、当該機能は本実施の形態では必ずしも必要な機能ではないので、詳細な説明は省略する。
【００３１】
メディア通信部１５は、アクセス網３側のユーザ端末と、コア網２側のユーザ端末（コア網２に接続されたアクセス網等の網に接続されたユーザ端末のこと）との間で通信されるメディア（本実施の形態では音声）を中継するための機能部である。
【００３２】
なお、以上説明したSBC装置１０の構成は、本実施の形態の処理に関わる構成を示すものであり、SBC装置としての他の機能部を更に含んでもよいことはいうまでもない。
【００３３】
SBC装置１０は、メモリやハードディスク等の記憶手段及びCPUを備える一般的なコンピュータに、各機能部に対応する処理を行うためのプログラムを搭載することにより実現できる。当該プログラムは、可搬メモリやディスク等の記録媒体から上記コンピュータにインストールしてもよいし、ネットワーク上のサーバから上記コンピュータにダウンロードし、インストールすることとしてもよい。
【００３４】
（システムの動作）
次に、本実施の形態に係るシステムの動作を図６のシーケンスチャートを参照して説明する。
【００３５】
以下で説明する例において、ユーザ端末６のアドレスをアドレスA、SBC装置１０におけるアクセス網３側のアドレスをアドレスP、SBC装置１０に割り当てられるユーザ端末６に対応する外部アドレスをアドレスG、SIPサーバ７のアドレスをアドレスSとする。
【００３６】
図中の各シーケンス上には、送信されるSIPメッセージを含むIPパケット（以下、単にパケットと呼ぶ）の構成の概要が記載されている。図示される各パケットの構成において、"宛先"と"送信元"の部分が、それぞれIPアドレスとポート番号の組であるアドレスの情報を示し、REGISTER等のSIPメッセージの種別が記述されている部分はSIPレイヤの情報を示す。図６では、本実施の形態の説明に必要な情報のみを示している。
【００３７】
図６において、ユーザ端末６は、Contactヘッダに自分のアドレスであるアドレスAを記述したREGISTERメッセージを含むパケットを送出する（ステップ１００）。当該パケットは、SBC装置１０の対アクセス網通信部１１により受信される。
【００３８】
パケットを受信したSBC装置１０において、外部アドレス決定部１３が、ユーザ端末６に対応する外部アドレスであるアドレスGを決定し、REGISTERメッセージとともにSIPメッセージ処理部１４に渡す（ステップ１０１）。外部アドレスは、例えば、予め定めたルールに基づき、予めプールしておいた複数のアドレスから１つを選択することにより決定することができる。これは一例であり、本実施の形態において、外部アドレスの決定方法は特定の方法に限定されない。
【００３９】
続いて、SIPメッセージ処理部１４は、REGISTERメッセージに、アドレスGを記述したPathヘッダを付与し、対コア網通信部１２に渡す（ステップ１０２）。Pathヘッダは、RFC3327に規定されているヘッダである。Contactヘッダに記述されたアドレスは変更されず、アドレスAのままである。
【００４０】
そして、対コア網通信部１２は、Pathヘッダが付加されたREGISTERメッセージを含むパケット（宛先：アドレスS、送信元：アドレスG)を生成し、当該パケットをコア網２に送出する（ステップ１０３）。
【００４１】
当該パケットは、SIPサーバ７により受信される。SIPサーバ７では、REGISTERメッセージにおけるContactヘッダに記述されたアドレスAと、Pathヘッダに記述されたアドレスGとを対応付けてメモリ等の記憶手段に記憶するとともに、REGISTERメッセージに含まれるバインディングの対象となる名前とContactヘッダに記述されたアドレスAとを対応付けてバインディング情報として記憶手段に格納するSIP処理を行う（ステップ１０４）。ただし、バインディング情報は、SIPサーバ７の外部にあるロケーションサーバ等のサーバに格納することとしてもよい。
【００４２】
そして、SIPサーバ７は、応答メッセージである200 OKメッセージを含むパケットをSBC装置１０に送信する（ステップ１０５）。図６に示すように、200 OKメッセージには、受信したREGISTERメッセージと同じContactヘッダとPathヘッダが含まれる。
【００４３】
200 OKメッセージを含むパケットを受信したSBC装置１０は、受信した200 OKメッセージにおけるContactヘッダに記述されたアドレスA（ユーザ端末６）宛に200 OKメッセージを転送する。
【００４４】
より詳細には、SIPメッセージ処理部１４が、受信したパケットに含まれる200 OKメッセージの中のContactヘッダに記述されたアドレスAを抽出し、それを200 OKメッセージとともに対アクセス網通信部１１に渡し、対アクセス網通信部１１は、SIPメッセージ処理部１１から渡されたアドレスAを宛先アドレスとし、アクセス網３側のSBC装置１０のアドレスPを送信元アドレスとした、200 OKメッセージを含むパケットを生成し、送出する（ステップ１０６、ステップ１０７）。なお、SIPメッセージ処理部１４は、200 OKメッセージの中からPathヘッダを削除し、対アクセス網通信部１１が、Pathヘッダを削除した200 OKメッセージを送信することとしてもよい。
【００４５】
その後、コア網２側に存在する他のユーザ端末から、ユーザ端末６の名前を指定した呼接続要求（INVITEメッセージ）の送信がなされたものとする（ステップ１１０）。このとき、SIPサーバ７がINVITEメッセージを受信し、INVITEメッセージのリクエストURI（R-URI)として記述された名前に対応するアドレスAを、バインディング情報から取得するとともに、ステップ１０４において格納したContactヘッダのアドレスとPathヘッダのアドレスとの対応情報から、アドレスAに対応するアドレスGを抽出する。そして、アドレスAをR-URIとして記述し、アドレスGをRouteヘッダに記述したInviteメッセージを作成し、Routeヘッダに記述されたアドレスG宛に、Inviteメッセージを含むパケットを送出する（ステップ１１１）。
【００４６】
対コア網通信部１２によりInviteメッセージを含むパケットを受信したSBC装置１０は、R-URI（アドレスA）宛にInviteメッセージを送信する。より詳細には、SIPメッセージ処理部１４が、InviteメッセージからRouteヘッダを削除するとともに、InviteメッセージからR-URI（アドレスA）を取得し、当該InviteメッセージとアドレスAを対アクセス網通信部１１に渡す（ステップ１１２）。そして、対アクセス網通信部１１は、宛先をアドレスAとし、送信元をアドレスPとした、Inviteメッセージを含むパケットを生成してアクセス網３に送出する（ステップ１１３）。
【００４７】
上記のような処理を経て、ユーザ端末間でのメディア通信が実現される。なお、ユーザ端末６から送出される、Inviteメッセージに対する応答メッセージ等については、SBC装置１０において種々の方法でパケットのアドレス変換を行うことが可能である。例えば、SBC１０装置が、INVITEメッセージを受信したときに、アドレスAとアドレスGを対応付けて保持しておき、保持しておいた当該情報を参照することにより、応答メッセージパケットに対するアドレスAとアドレスG間での変換処理を行うことができる。このような保持情報は、ユーザ端末間での通信セッションを確立するときにだけ保持される情報なので、メモリ量の圧迫等の問題は生じない。また、メディア通信の際にも、コア網２側アドレスとアクセス網３側アドレスとの対応情報は必要になるが、これもメディア通信を行うときだけあればよい情報なので、メモリ量の圧迫等の問題は生じない。
【００４８】
（実施の形態の効果）
以上説明したように、本実施の形態で説明した技術を用いることにより、着信に備えて、ユーザ端末のアドレスとSBC装置１０の外部アドレスとを対応付けたアドレス対応情報を常に保持しておく必要がなくなる。従って、従来のように、アドレス対応情報を格納することによりハードウェアリソースを圧迫する恐れが生じることはなく、また、着信の際の情報検索に係る膨大な処理負荷も生じることはなくなる。
【００４９】
更に、そもそも着信のためにアドレス対応情報を保持しないので、従来のようにアドレス対応情報が揮発することによる問題は発生しない。また、アドレス対応情報をSBC装置１０で保持しないので、保守性、効率性、可用性が向上する。
【００５０】
本発明は、上記の実施の形態に限定されることなく、特許請求の範囲内において、種々変更・応用が可能である。例えば、本実施の形態では、REGISTERメッセージにおいて、ユーザ端末６に対応する外部アドレスをPathヘッダに記述しているが、Pathヘッダを用いることは必須ではない。REGISTERメッセージにおいて、ユーザ端末６に対応する外部アドレスを示すことができるヘッダ情報であれば、Pathヘッダ以外のヘッダを用いてもよい。Pathヘッダ以外のヘッダを用いる場合、SIPサーバ７を、Pathヘッダを用いたときと同様に動作するよう構成する。
【符号の説明】
【００５１】
１、１０  SBC装置
２  コア網
３  アクセス網
４  PSTN
５  PSTN-GW
６  ユーザ端末
７  SIPサーバ
１１  対アクセス網通信部
１２  対コア網通信部
１３  外部アドレス決定部
１４  SIPメッセージ処理部
１５  メディア通信部
【図１】
2011151474.tif 000003
【図２】
2011151474.tif 000004
【図３】
2011151474.tif 000005
【図４】
2011151474.tif 000006
【図５】
2011151474.tif 000007
【図６】
2011151474.tif 000008